(57)【要約】      （修正有）【課題】簡易発電装置を活用し簡易安価に発電する水車発電装置（システム）を提供する【解決手段】発電機を連結した回転駆動軸に回転モーメント付与錘機構を設けてなる簡易発電装置と、回転モーメント付与錘機構の水車部用に高所貯水タンクと低所貯水タンクとを有する揚水式水車発電装置において、前記簡易発電装置の制御装置として、発電計画パターンを作成更新する発電管理装置と、発電計画パターンに基いて各タンクの貯水量を常に所定値に維持する貯水制御装置と、発電機からの発電力の一部を自給電力側に設定するか外部からの買電側に設定する電力供給設定装置と、買電電力又は自給電力設定により前記貯水制御装置の揚水ポンプ制御装置と弁制御装置に指令する電力供給制御装置を備え、電力供給設定装置に対して、自給電力側設定と買電側設定の時間帯を演算設定する買売電演算管理装置と、を備えたことを特徴とする水車発電装置（システム）。【選択図】図１
2014015925.tif 000002
【特許請求の範囲】
【請求項１】
発電機を連結した回転駆動軸に、放射状の旋回シャフトを介して真円のフライホイールを設け、フライホイールに水車部を設け、前記回転駆動軸の周囲に離間配置しその軸心から円心を水平方向に偏心させて真円の固定式のエンドレスガイドレールを設け、回転駆動軸に回転モーメントを付与する複数の錘を等回転角度で配置した回転モーメント付与錘機構を設けてなる簡易発電装置と、所定高さに配置し前記簡易発電装置の水車部に落流水を供給して回転させる高所貯水タンクと、前記簡易発電装置の水車部からの排水を集水貯蔵し揚水ポンプにより前記高所貯水タンクに揚水する低所貯水タンクと、を有する揚水式水車発電装置において、
前記簡易発電装置の制御装置として、発電機からの発電量を逐次入力し、売電価格、及び前記買電価格を設定して発電計画パターンを作成し且つこれらの設定値の変動に応じて発電計画パターンを更新する発電管理装置を備え、
発電管理装置からの発電計画パターンに基いて、高所貯水タンクと低所貯水タンクからの水位計からの測定値を導入しながら、その測定値に応じて揚水ポンプ制御装置と弁制御装置を作動させて、低所貯水タンクから高所貯水タンクへの揚水ポンプ及び揚水弁と、高所貯水タンクから水車部への落流水弁と、高所貯水タンク及び低所貯水タンクへの補給水弁とを選択制御して、これらタンクの貯水量を常に所定値に維持制御する貯水制御装置を備え、
発電機からの発電力の一部を自給電力側に設定するか外部からの買電側に設定する電力供給設定装置を備え、
電力供給設定装置からの買電力設定又は前記発電機からの発電力の一部の自給電力設定により貯水制御装置の揚水ポンプ制御装置と弁制御装置を介して選択電力を当該揚水ポンプに供給する電力供給制御装置を備え、
電力供給設定装置に対して、自給電力側設定と買電側設定の時間帯を、発電機からの発電量と売電価格、及び前記買電価格に応じて、（買電価格×買電時間）＜（売電価格×売電時間）−（自給電力価格×自給時間）となる値に演算設定する買売電演算管理装置を備え、
たことを特徴とする水車発電装置（システム）。
【発明の詳細な説明】
【技術分野】
【０００１】  本発明は、水力エネルギーを駆動源にして効率よく簡易でしかも安価に発電する水車発電装置（システム）に関するものである。
【背景技術】
【０００２】  発電装置は、従来公知のものとして大別して風力発電装置、蒸気力発電装置、水力発電装置、波力発電装置、太陽光発電装置など大掛かりな様々な発電装置が開発されている。
近年、地球温暖化問題が表面化し、二酸化炭素排出規制が声高に叫ばれている。この対策とするクリーンエネルギー発電技術として、前記の太陽光電池、水力発電装置、風力発電装置等が注目され開発され現在稼動しているが、規模的な問題及びコスト及びメンテナンス等の問題並びに簡易性の問題が大きく起因して小規模的な領域まで普及していないのが現状である。
そこで最近、水力、風力、波力などの自然エネルギー源を利用して効率よく発電する簡易な発電装置が各種開発されている。中でも自然エネルギーを駆動源にして回転する回転区同軸に、地球上の重力を活用した回転モーメント付与錘機構を付設した簡易発電装置がある。【０００３】  本発明者が発明した簡易発電装置は、概略、水平状態にした自然エネルギー源による回転駆動軸に回転モーメント付与錘機構を付接してその軸力つまり回転トルクを高めて回転駆動軸に連接する発電機の発電容量を高位に安定させようとするものである。
当該回転モーメント付与錘機構は、前記回転駆動軸に放射状の旋回シャフトを介して設けた真円のフライホイールと、前記回転駆動軸の周囲に離間配置し円心を回転駆動軸の軸心から水平方向に偏心させた真円の固定式の縦型リング軌条と、回転駆動軸に回転モーメントを付与する複数の錘を等回転角度で配置した回転モーメント付与錘機構とからなる。前記回転モーメント付与錘機構は、回転駆動軸の回転駆動力により錘りを縦型リング軌条に沿って案内するもので、各錘りは回転駆動軸の軸心に対してカム的に偏心回転してその最長半径端のピーク部で最も強い遠心力を順次加えて、回転駆動軸の回転軸力を高めるものである。
この簡易発電装置は、後述の実施例に紹介する各種タイプが発明されている。
【発明の概要】
【発明が解決しようとする課題】
【０００４】  本発明は、製造費用も廉価な簡単な堅牢構造の前記簡易発電装置を活用し、安価な水力自給電力と夜間電力を得て所定量の貯水を常に確保し、利益になる売電を可能にした水車発電装置（システム）を提供する。
【課題を解決するための手段】
【０００５】上記課題を満足させる本発明の水車発電装置（システム）における主な技術構成は、次の（１）の通りである。【０００６】（１）、発電機を連結した回転駆動軸に、放射状の旋回シャフトを介して真円のフライホイールを設け、フライホイールに水車部を設け、前記回転駆動軸の周囲に離間配置しその軸心から円心を水平方向に偏心させて真円の固定式のエンドレスガイドレールを設け、回転駆動軸に回転モーメントを付与する複数の錘を等回転角度で配置した回転モーメント付与錘機構を設けてなる簡易発電装置と、所定高さに配置し前記簡易発電装置の水車部に落流水を供給して回転させる高所貯水タンクと、前記簡易発電装置の水車部からの排水を集水貯蔵し揚水ポンプにより前記高所貯水タンクに揚水する低所貯水タンクと、を有する揚水式水車発電装置において、
前記簡易発電装置の制御装置として、発電機からの発電量を逐次入力し、売電価格、及び前記買電価格を設定して発電計画パターンを作成し且つこれらの設定値の変動に応じて発電計画パターンを更新する発電管理装置を備え、
発電管理装置からの発電計画パターンに基いて、高所貯水タンクと低所貯水タンクからの水位計からの測定値を導入しながら、その測定値に応じて揚水ポンプ制御装置と弁制御装置を作動させて、低所貯水タンクから高所貯水タンクへの揚水ポンプ及び揚水弁と、高所貯水タンクから水車部への落流水弁と、高所貯水タンク及び低所貯水タンクへの補給水弁とを選択制御して、これらタンクの貯水量を常に所定値に維持制御する貯水制御装置を備え、
発電機からの発電力の一部を自給電力側に設定するか外部からの買電側に設定する電力供給設定装置を備え、
電力供給設定装置からの買電力設定又は前記発電機からの発電力の一部の自給電力設定により貯水制御装置の揚水ポンプ制御装置と弁制御装置を介して選択電力を当該揚水ポンプに供給する電力供給制御装置を備え、
電力供給設定装置に対して、自給電力側設定と買電側設定の時間帯を、発電機からの発電量と売電価格、及び前記買電価格に応じて、（買電価格×買電時間）＜（売電価格×売電時間）−（自給電力価格×自給時間）となる値に演算設定する買売電演算管理装置を備え、
たことを特徴とする水車発電装置（システム）。
【発明の効果】
【０００７】  本発明の水車発電装置（システム）は、製造費用も廉価な簡単な堅牢構造の前記簡易発電装置を活用した前記技術的特徴により、水力エネルギーを駆動源にして、安価な水力自給電力と夜間電力を得て所定量の貯水を常に確保し、利益になる売電を可能にしたものである。
【図面の簡単な説明】
【０００８】
【図１】本発明の水車発電装置（システム）の全体概略システムフロー図を示す説明図である。
【図２】本発明の水車発電装置（システム）で活用する簡易発電装置の第１例を示し、図４の矢視Ａ−Ａから見た側断面説明図であり、弾み機構ＨＺ−１を代表して示す。
【図３】図４の矢視Ｂ−Ｂから見た弾み機構ＨＺ−１の中央部からの側断面説明図である。
【図４】図２の矢視Ｃ−Ｃから見た縦断面図である。
【図５】エンドレスガイドレール８００で錘り６００を非接触タイプで案内する例を示す断面説明図である。
【図６】本発明の水車発電装置（システム）で活用する簡易発電装置の第２例を示し図７の矢視Ａ２−Ａ２から見た側断面説明図であり、弾み機構ＨＺ−１を代表して示す。
【図７】弾み機構ＨＺ−１〜ＨＺ−４を図６の矢視Ｂ１−Ｂ１〜Ｂ４−Ｂ４から見た断面説明図を併記した図である。
【図８】エンドレスガイドレール８００で円盤状錘６００ａを非接触タイプで案内する例を示す断面説明図である。
【発明を実施するための形態】
【０００９】  発明を実施するための形態を実施例により詳細に説明する。
【実施例１】
【００１０】図１において、揚水式水車発電装置は、簡易発電装置ＫＨと、簡易発電装置ＫＨの制御装置ＫＨＣｏと、所定高さに配置した高所貯水タンクＨＴと、低所貯水タンクＬＴとからなる。【００１１】簡易発電装置ＫＨは、図１〜図５において、発電装置（発電機）２００と集電部（：集電装置）と送電機構と蓄電装置とを備え、発電装置（発電機）２００に連結した回転駆動軸３００に、放射状の旋回支持シャフト４０１を介して真円のフライホイール４００を設け、フライホイール４００に水車部１００を設け、前記回転駆動軸３００の周囲に離間配置しその軸心３００ｃから円心８００ｃを水平方向に偏心させて真円の固定式のエンドレスガイドレール８００を設け、回転駆動軸３００に回転モーメントを付与する複数の錘６００を等回転角度で配置した回転モーメント付与錘機構ＨＺ−１を設けてなる。【００１２】この簡易発電装置ＫＨは、製造費用も廉価な簡単な堅牢構造に改善して、自然エネルギー源で回転する回転駆動軸３００に対して、回転モーメント付与錘機構ＨＺ−１のフライホイール４００により、駆動軸全体的にかかる放射状の遠心力を加え、更に複数対の錘りを、エンドレスガイドレールにてカム的に偏心回転させてそのピークに強い遠心力を順次加えて、回転駆動軸３００の回転軸力を高めて発電効率を格段に高める。
このため、自然エネルギー源として水力を利用したクリーンエネルギーとして、メンテナンスフリー発電を手軽に低コストで得る事を実現し、一般家庭は勿論、自動車産業や各種電力供給産業に広く普及し業界に広く活用される発電装置である。
簡易発電装置の詳細例は第１例を図２〜図５で、第２例を図６〜図８にて紹介する。【００１３】高所貯水タンクＨＴは、最大２日分の全簡易発電装置ＫＨの発電稼動に必要な水量を貯めるもので、河川、雨水や湧水を導入する補充用の給水管ＨＴ１を有し、前記簡易発電装置ＫＨの水車部１００に落流水弁ｖ１を介した複数本の落流水管ＨＴ−２（図２〜図８では１０５）で供給して回転させる。【００１４】低所貯水タンクＬＴは、高所貯水タンクＨＴ同様に、最大２日分の全簡易発電装置ＫＨの発電稼動に必要な水量を貯めるもので、河川、雨水、湧水、水道水等を導入する補充用の給水管ＬＴ１を有し、前記簡易発電装置ＫＨの水車部１００の排出管（図２〜図８では１０５）からの排水を集水貯蔵し揚水ポンプＰ１〜Ｐｎを運転し揚水弁Ｖ１〜Ｖｎを介した揚水管ＬＴ−１〜ＬＴ−ｎにより前記高所貯水タンクＨＴに揚水する。
この高所貯水タンクＨＴと低所貯水タンクＬＴは、通常揚水ポンプによる循環水で満たされる。そして蒸発や不慮の水不足に対して前記補充用の給水管ＨＴ１、ＬＨ１から給水補充される。【００１５】前記簡易発電装置ＫＨの制御装置ＫＨＣｏは、発電管理装置Ｋ１と貯水制御装置Ｃ１と電力供給制御装置Ｃ２と電力供給設定装置Ｃ３と買売電演算管理装置Ｃ４をそなえる。【００１６】発電管理装置Ｋ１は、発電機２００からの発電量を集電装置で集電しこれから集電力を蓄電装置に蓄電する一方、送電機構を介して売電することを管理をする。また集電量、蓄電量、買電量と価格を逐次入力し、これらと売電価格、及び前記賀電価格により、日間、週間、月間、年間等の自給発電計画と発電電力売電計画と外部電力買電計画を含む発電計画パターンを作成し且つこれらの設定値の変動に応じて発電計画パターンを更新する。【００１７】貯水制御装置Ｃ１は、発電管理装置Ｋ１からの発電計画パターンに基いて、高所貯水タンクＨＴと低所貯水タンクＬＴからの水位計ＬＳ−１、ＬＳ−２からの測定値を導入しながら、測定値に応じて揚水ポンプ制御装置Ｃ１−１と弁制御装置作動させて、低所貯水タンクＬＴから高所貯水タンクＨＴへの揚水ポンプＰ１〜Ｐｎ及び揚水管ＬＴ−１〜ＬＴ−ｎの揚水弁Ｖ１〜Ｖｎと、高所貯水タンクＨＴから水車部１００への落流水管ＨＴ−１〜ＨＴ−ｎ（図２〜図８では１０２）の落流水弁ｖ１〜ｖｎと、高所貯水タンクＨＴ及び低所貯水タンクＬＴへの補水用の給水管ＨＴ１、ＬＴ１の給水弁ＨＶ−１、ＬＶ−１とを選択制御して、これらタンクＨＴ、ＬＴの貯水量を常に所定値に維持制御する。【００１８】電力供給制御装置Ｃ２は、電力供給設定装置Ｃ３からの買電力設定又は前記発電機からの発電力の一部の自給電力設定により貯水制御装置Ｃ１の揚水ポンプ制御装置Ｃ１−１と弁制御装置Ｃ１−２を介して選択電力を当該揚水ポンプ及び当該弁等に供給する。【００１９】電力供給設定装置Ｃ３は、発電管理装置Ｋ１からの発電計画パターンに基いて、電力供給制御装置Ｃ２に対して発電機２００からの発電力の一部を自給電力側に設定するか外部からの買電側に設定する。【００２０】買売電演算管理装置Ｃ４は、電力供給設定装置Ｃ３に対して、自給電力側設定と買電側設定の時間帯を演算設定する。この各時間帯は、発電管理装置Ｋ１から発電量と売電価格、及び前記買電価格を入力しこれらの値に応じて、日別、週別、月別、年別等の（買電価格×買電時間）＜（売電価格×売電時間）−（自給電力価格×自給時間）となる時間帯に演算設定する。
これで水力エネルギーを駆動源にして、安価な水力自給電力と夜間電力を得て所定量の貯水を常に確保し、利益になる売電を可能にするものである【００２１】本発明の簡易発電装置の第１例を図２〜図５と共に詳細に説明する。
図２〜図４において、本例の簡易発電装置は、フライホイール４００に設けた水車１００と発電装置２００に連結した水平型の回転駆動軸３００に、その軸心３００ｃに対して垂直状態にして一組の回転モーメント付与錘機構ＨＺ−１を配置したものであるが、複数組を並列配置してもよい。
回転モーメント付与錘機構ＨＺ−１は、水車１００を装着した一対のフライホイール４００と、各フライホイール４００において、対面配置した一対のガイドアーム５００と、各対の一対のガイドアーム５００間に配置の各一対の錘り６００と、各対錘り６００の内側のガイドロール７００を支持する横断面が横Ｈ型のエンドレスガイドレール８００とからなる。
回転モーメント付与錘機構ＨＺ−１を回転駆動軸３００に並列に配置する場合は、８対のガイドアーム５００を同一回転角度にしたものでよく又は８対のガイドアーム５００を１１．２５度の等回転角度間隔で順次ずらして４組並列配置するなど回転駆動軸３００に掛る軸力の起伏を均すことが重要である。【００２２】各回転モーメント付与錘機構ＨＺ−１において、水車１００は、一対のフライホイール４００の周面に設けた例であるが、単独で図３に示す水車のように回転駆動軸３００に直接連結してもよい。本例の各水車１００は内周面に水受け羽根１０１を多数等間隔で設け、上部の落流水管１０２から落流水を受け、密閉ケーシング１０３内の動力流水路１０４を通り下部の排水路１０５から排水するように構成してある。【００２３】一対のフライホイール４００は、真円の縦型にし、回転駆動軸３００に当角度間隔で放射状に接続した複数の旋回支持シャフト４０１を介して真円の金属製のリング４０２を支持してなる。【００２４】ガイドアーム５００は、一端を前記当該フライホイール４０３のリング４０２の内周面に所定の等角度間隔で固定し他端を回転駆動軸３００の軸心３００Ｃ側に位置させて旋回支持シャフト４０１に接続支持した連結具５１０に連結して、錘り６００による弾み効果を助長するようにしてあり、同アーム５００の軸心方向つまりリング４０２の半径方向に錘り６００の軸６０１端部の細長部６０１ａの案内用の切り欠きガイド５０１を設けてある。切り欠きガイド５０１は摩擦係数の極小の樹脂系材料を被覆してある。
この切り欠きガイド５０１の代替としては図示していないが、錘り６００に貫通穴を設けこれにシャフト状のガイドを挿通自在に装着したものでもよい。また本例の連結具５１０は旋回支持シャフト４０１に連結して保持してある。
またこの変形例のシャフト状のガイドも同様であるが、切り欠きガイド５０１は、図２に太線で代表的に併記した５０１−２のように、フライホイール４００のリング４０１側の一端を反回転方向にずらし、回転駆動軸３００側の他端を回転方向側にずらすことにより、錘り６００の軸６０１のリング４０１側への上昇移動ガイドと、回転駆動軸３００側への下降移動ガイドを共に軽負荷で円滑に行うことができる。【００２５】各一対の錘り６００は、円形の金属製で軸６０１により所定間隔をおいて対向配置し軸６０１の中央部にガイドロール７００を回転自在に設けてあり、軸６０１の両側部の細長部６０１ａを切り欠きガイド５０１に沿って直線的に摺動自在に挿通している。軸６０１及びガイドロール７００は摩擦係数の極小の樹脂系材料を被覆してある。各一対の錘り６００はガイドロール７００をエンドレスガイドレール８００に沿って円滑に偏心回転して、回転駆動軸３００の軸心３００ｃからの水平距離が最も離間したエンドレスガイドレール８００のピーク部側に、錘り６００の遠心力の最大力を加えて回転駆動軸２００の回転軸力を増大させる。【００２６】エンドレスガイドレール８００は、中心部８００ｃを前記回転駆動軸３００の軸心３００ｃ位置から水平線上を図に向かって左側に偏位させた例である。
エンドレスガイドレール８００は、金属製で横断面を横Ｈ型にし、その両側凹陥部の内面に摩擦係数の極小の樹脂系材料を被覆してあり前記ガイドロール７００を軽負荷で案内する。
またエンドレスガイドレール８００は、前記一対のフライホイール４００間に平行関係で配置し前記ガイドロール７００を両側凹陥部内に回転可能に収容して案内するもので、中心部８００ｃを前記回転駆動軸３００の軸心３００ｃ位置から偏位させた真円のリングであるが、リングは他の形状として半円と半楕円を組み合わせた卵形のリングであってもよい。【００２７】エンドレスガイドレール８００は、ガイドロール７００との組み合わせた接触タイプの他に、図５に示すように、永久磁石式Ｍ１，Ｍ２，Ｍ３を組み合わせた非接触タイプにして抵抗を激減させたものでもよい。
図５に示す例は、エンドレスガイドレール８００の両側凹陥部の対向内面に永久磁石Ｍ１とＭ２をそれぞれ周方向に連続配列して設け、円盤状錘６００ａの軸６０１の両端部に永久磁石Ｍ３を固定したもので、永久磁石Ｍ１のＳ極に永久磁石Ｍ３のＳ極を所定間隙を介して対面させ、永久磁石Ｍ２のＮ極に永久磁石Ｍ３のＮ極を所定間隙を介して対面させた反発式で永久磁石Ｍ３は永久磁石Ｍ１とＭ２との間を浮遊走行するものである。【００２８】回転モーメント付与錘機構ＨＺ−１における錘り６００は、軸６０１の一方の断面形状を細長部６０１ａにしてガイドアーム５００の切り欠きガイド５０１に沿って半径線上を回転しないで案内されると共に軸６０１の他方に回転自在に設けたガイドロール７００をエンドレスガイドレール８００に沿って偏心回転案内されるため、前記フライホイール４００の回転とともに錘り６００はリング４０２内でカム的に偏心転動して、エンドレスガイドレール８００の反偏心側のピーク部にて回転駆動軸３００に遠心力を強力に加えて回転軸力が格段に増大する。
ガイドロール７００を装着した一対の軸６０１の他方は、連結アーム６１０によりエンドレスガイドレール８００の内周側近傍で連結固定して、各一対の錘り６００の共動回転を堅牢に維持する。【００２９】  このように回転駆動軸３００が水車１００によりフライホイール４００を介して一旦回転駆動すると本例の回転モーメント付与錘機構ＨＺ−１は、フライホイール４００の回転による放射状の遠心力と錘り６００の偏心転動による局部的な強遠心力を４５度の回転角度間隔で略連続的に加えて回転駆動軸２００の回転軸力を格段に高めて発電効率を一段と高めるものである。【００３０】本発明の簡易発電装置の第２例を図６〜図８と共に詳細に説明する。
図６〜図７において、本実施例の発電装置は、フライホイール４００に設けた水車１００と発電装置２００に連結した水平型の回転駆動軸３００に、その軸心３００ｃに対して垂直状態にして四機の回転モーメント付与錘機構ＨＺ−１〜ＨＺ−４を並列配置したものである。
各回転モーメント付与錘機構ＨＺ−１〜ＨＺ−４は、水車１００を装着したフライホイール４００と、ガイドアーム５００と、錘り６００と、ガイドロール７００と、エンドレスガイドレール８００とからなる。
図７に示す回転モーメント付与錘機構ＨＺ−１〜ＨＺ−４は、図６に示す回転モーメント付与錘機構ＨＺ−１と同一構成にして、回転駆動軸３００に並列に配置したものであるが各回転モーメント付与錘機構ＨＺ−１〜ＨＺ−４は図６の矢視Ｂ１−Ｂ１〜Ｂ４−Ｂ４から見た断面説明図を併記した図である。
また、この変形例として図６に示す回転モーメント付与錘機構ＨＺ−１に対して回転モーメント付与錘機構ＨＺ−２〜ＨＺ−４を図示していないが、エンドレスガイドレール８００は固定してフライホイール４００と、ガイドアーム５００と、錘り６００と、ガイドロール７００とを一体的に１１．２５度の回転角度間隔で順次ずらして回転駆動軸３００に並列に配置して回転駆動軸３００に掛る軸力の脈動を小さくし平滑化することができる。【００３１】各回転モーメント付与錘機構ＨＺ−１〜ＨＺ−４において、水車１００は、周面に水受け羽根１０１を多数等間隔で設け、上部の流入路１０２から落流水を受け、密閉ケーシング１０３内の動力流水路１０４を通り下部の排水路１０５から排水するように構成してある。【００１１】フライホイール４００は、真円の縦型にし、回転駆動軸３００に当角度間隔で放射状に接続した複数の旋回支持シャフト４０１を介して真円の金属製のリング４０２を支持してなる。【００３２】ガイドアーム５００は、一端を前記フライホイール４０３のリング４０２の内周面に所定の等角度間隔で固定し他端を回転駆動軸３００の軸心３００ｃ側に位置させて旋回支持シャフト４０１に接続支持した連結具５１０に連結して、錘り６００による弾み効果を助長するようにしてあり、同アーム５００の軸心方向つまりリング４０２の半径方向に錘り６００の案内用の切り欠きガイド５０１を設けてある。切り欠きガイド５０１は摩擦係数の極小の樹脂系材料を被覆してある。
この切り欠きガイド５０１の代替としては図示していないが、錘り６００に貫通穴を設けこれにシャフト状のガイドを挿通自在に装着したものでもよい。また連結具５１０は旋回支持シャフト４０１に連結して保持してある。
またこの変形例のシャフト状のガイドも同様であるが、切り欠きガイド５０１は、図１に太線で代表的に併記した５０１−２のように、一端のフライホイール４００のリング４０１側を反回転方向にずらし、他端の回転駆動軸３００側を回転方向側にずらすことにより、円盤状錘６００ａの軸６０１のリング４０１側への上昇移動ガイドと、回転駆動軸３００側への下降移動ガイドを共に軽負荷で円滑に行うことができる。【００３３】錘り６００は、一対の金属製の円盤状錘６００ａを軸６０１により所定間隔をおいて対向配置し軸６０１の両側にガイドロール７００を回転自在に設けてあり、軸６０１を切り欠きガイド５０１に摺動自在に挿通している。軸６０１及びガイドロール７００は摩擦係数の極小の樹脂系材料を被覆してある。円盤状錘６００ａは回転中の空気抵抗を低減して円滑に偏心回転して、回転駆動軸３００の軸心３００ｃからの水平距離が最も離間したエンドレスガイドレール８００のピーク部側に、錘り６００の遠心力の最大力を加えて回転駆動軸２００の回転軸力を増大させる。【００３４】エンドレスガイドレール８００は、中心部８００ｃを前記回転駆動軸３００の軸心３００ｃ位置から水平線上を図に向かって左側に偏位させた例である。
エンドレスガイドレール８００は、金属製で横断面をコ字にし内面に摩擦係数の極小の樹脂系材料を被覆してありガイドロール７００を軽負荷で案内する。またエンドレスガイドレール８００は、前記フライホイール４００の両側に平行関係で一対配置し前記ガイドロール７００を片側から回転可能に収容して案内するもので、中心部８００ｃを前記回転駆動軸３００の軸心３００ｃ位置から偏位させた真円のリングであるが、リングは他の形状として半円と半楕円を組み合わせた卵形のリングであってもよい。【００３５】エンドレスガイドレール８００は、ガイドロール７００との組み合わせた接触タイプの他に、図８に示すように、永久磁石式Ｍ１，Ｍ２，Ｍ３を組み合わせた非接触タイプにして抵抗を激減させたものでもよい。
図８に示す例は、横断面をコ字のエンドレスガイドレール８００の対向内面に永久磁石Ｍ１とＭ２をそれぞれ周方向に連続配列して設け、円盤状錘６００ａの軸６０１の両端部に永久磁石Ｍ３を固定したもので、永久磁石Ｍ１のＳ極に永久磁石Ｍ３のＳ極を所定間隙を介して対面させ、永久磁石Ｍ２のＮ極に永久磁石Ｍ３のＮ極を所定間隙を介して対面させた反発式で永久磁石Ｍ３は永久磁石Ｍ１とＭ２との間を浮遊走行するものである。【００３６】回転モーメント付与錘機構ＨＺ−１〜ＨＺ−４における錘り６００は、軸６０１をガイドアーム５００の切り欠きガイド５０１に沿って案内されると共にガイドロール７００をエンドレスガイドレール８００−１〜８００−４に沿って案内されるため、前記フライホイール４００の回転によりリング４０２内でカム的に偏心転動するため、回転駆動軸３００には、回転モーメント付与錘機構ＨＺ−１〜ＨＺ−４による左方向遠心力が強力に加わり回転軸力が格段に増大する。【００３７】  このように回転駆動軸３００が水車１００によりフライホイール４００を介して一旦回転駆動すると各回転モーメント付与錘機構ＨＺ−１〜ＨＺ−４は、フライホイール４００の回転による放射状の遠心力と錘り６００の偏心転動による局部的な強遠心力を１１．２５度の回転角度間隔で加えて回転駆動軸２００の回転軸力を格段に高めて発電効率を一段と高めるものである。
【産業上の利用可能性】
【００３８】本発明は、前述のように、水力、風力、波力などの自然エネルギー源を利用し製造費用も廉価な簡単な堅牢構造の簡易発電装置を利用して、発電コスト及びメンテナンスが極めて安価で有利になし得て、効率よく発電する水車発電装置（システム）であり、小規模的な領域から大規模領域までに幅広く普及する可能性が甚大であり、発電業界および国民の電化生活並びに、ハウス栽培場、水耕栽培場、魚介類養殖場、海水改質場等の事業への安定給電に貢献すること多大なものがある。
【符号の説明】
【００３９】ＫＨ：前記簡易発電装置
ＫＨＣｏ：制御装置
Ｋ１：発電管理装置
ＨＴ：高所貯水タンク
ＬＴ：低所貯水タンク
Ｃ１：貯水制御装置
Ｃ１−１：揚水ポンプ制御装置
Ｃ１−２：弁制御装置
Ｃ２：電力供給制御装置
Ｃ３：電力供給設定装置
Ｃ４：買売電演算管理装置
ＨＴ１、ＬＴ１：給水管
ｖ１：落流水弁
ＨＴ−１〜ＨＴ−ｎ：落流水管
Ｐ１〜Ｐｎ：揚水ポンプ
Ｖ１〜Ｖｎ：揚水弁
ＬＴ−１〜ＬＴ−ｎ：揚水管
ＬＳ−１、ＬＳ−２：水位計
ＨＶ−１、ＬＶ−１：給水弁
１００：水車
１０１：水受け羽根
２００：発電装置
３００：回転駆動軸
ＨＺ−１：回転モーメント付与錘機構
４００：一対のフライホイール
４０１：旋回支持シャフト
５００：ガイドアーム
５０１：切り欠きガイド
６００：錘り
６００ａ：円盤状錘
６００ｂ：円盤状錘６００ａ支持用の軸
６０１：錘りの支持軸
７００：ガイドロール
８００：エンドレスガイドレール
【図１】
2014015925.tif 000003
【図２】
2014015925.tif 000004
【図３】
2014015925.tif 000005
【図４】
2014015925.tif 000006
【図５】
2014015925.tif 000007
【図６】
2014015925.tif 000008
【図７】
2014015925.tif 000009
【図８】
2014015925.tif 000010